(57)【要約】【課題】  本発明は、印刷機用の印刷データをインクジェット記録装置のような簡易印刷機などで印刷する場合、従来の作業工程の流れを壊さず、効率よくフチなし印刷を行うことを課題とする【解決手段】  フチなし印刷のジョブの場合、インクジェット記録装置用の画像処理装置内で、実際に用紙に記録するエリアをトンボの位置より算出し、所定の拡大率で拡大すること解決手段とする。【選択図】  図３
2009146125.tif 000002
【特許請求の範囲】
【請求項１】
画像切り出し位置のマークを読み出すステップと、その位置情報より、元画像サイズを算出するステップと、その元画像サイズと入力された印刷サイズより拡大率を算出するステップとを有することを特徴とする画像処理方法。
【請求項２】
画像切り出し位置のマークを読み出すステップと、その位置情報より、元画像サイズを算出するステップと、その元画像サイズと入力された印刷サイズより拡大率を算出するステップとを有し、その拡大された画像をセンタリングする処理を有することを特徴とする画像処理方法。
【請求項３】
印刷データ処理を行う画像処理方法において、
画像切り出し位置のマークを読み出すステップと、その位置情報より、画像サイズを算出するステップと、印刷ファイル内に記述されている印刷サイズと画像サイズから拡大率を算出するステップ、その拡大された画像をセンタリングする処理を具備することを特徴とする画像処理方法。
【発明の詳細な説明】
【技術分野】
【０００１】
本発明は画像処理方法および、画像処理装置に関し、特に、例えば、画像処理装置に送られてきた画像データに所定の処理を施す画像処理方法に関する。
【背景技術】
【０００２】
電子写真方式やインクジェット記録方式などの記録装置において、ポスタやチラシ、はがきなどの記録する用紙に余白を付加することなく、画像を記録する印刷方法を「フチなし印刷」といい、近年多くの記録装置で対応されている。特に大判インクジェット記録装置の分野においては、印刷機で印刷する前の印刷チェック用の出力物用として、また、ポスタの小ロット生産時には大判インクジェット記録装置で印刷を行い、その出力物をポスタとして使用することを行われている。
【０００３】
印刷機でポスタ（印刷物）を印刷するまでの作業工程の概略は以下の通り。
【０００４】
[A1]ポスタ（印刷物）のデザインを決定
[A2]デザイン作成ソフトウエアを使って印刷データを作成。
【０００５】
この場合、例えばA0サイズのポスタを印刷する場合でも、A3等の小さなサイズで印刷データを作成する。この場合、印刷機で印刷した後、余白を断裁するためのトンボを打ってデータを作成し、そして作成した印刷データとし印刷用のファイル（PDLファイル）にすることが多い。
【０００６】
トンボを印刷して、そのトンボの位置を検出、断裁して最終印刷物に仕上げるためには、特許文献１にあるような断裁システム及び断裁位置検出方法といった自動化を行うことが知られている。
【０００７】
[A3]レイアウトや色味のチェックのために、この印刷用のファイル（PDLファイル）を大判インクジェットプリンタ等に出力し出力物の確認を行う。
【０００８】
この確認用の印刷はレイアウト、色の確認のための出力なのでフチなし印刷を行う必要性のない場合が多い。
【０００９】
[A4]確認の結果、OKであれば、所定の大きさに拡大し印刷機で印刷を行う。
【００１０】
[A5]トンボから外の余分な紙を断裁する。
【００１１】
しかし、近年大判インクジェット記録装置は画質向上、印刷速度の向上により、小ロット生産やプリントオンデマンド市場に適していることから、多くの印刷物、特にポスタなどの印刷物を印刷するようになった。
【００１２】
この大判インクジェット記録装置に直接フチなし記録を行う場合は、予めデザインを作成する上でフチなし用の用紙の設定が必要となり、大きな違いとしては、トンボが必要ないことである。
【００１３】
以下に、大判インクジェット記録装置にて、フチなし印刷を行う場合の作業工程を示す。
【００１４】
[B１]ポスタ（印刷物）のデザインを決定
[B2]デザイン作成ソフトウエアを使って印刷データを作成。
【００１５】
この場合、印刷機の作業工程と同様に、A3等の小さなサイズで印刷データを作成する。また、印刷機で印刷する場合の断裁という工程は不要なので、トンボを打つことは行わない。また、ここで作成した印刷データも印刷用ファイル（PDLファイル）することが多い。
【００１６】
[B3]レイアウトや色の確認のために、等倍などで印刷し、確認を行う。
【００１７】
[B4]確認した結果OKであれば、この印刷用ファイル（PDLファイル）を拡大してフチなし印刷の設定を行って印刷を行う。
【００１８】
以上のように、現在の出力物を作成する作業工程が、印刷機向けと大判インクジェット向けとで若干異なっており、作業する上で間違いの発生や、所要時間のロスなどにつながる場合があった。
【００１９】
例えば、印刷機で印刷物（ポスタ）を出力し、納品後、小部数の印刷の追加印刷が必要になった場合、印刷機を動かすにはコストが掛かるため、大判インクジェット記録装置で印刷を行うことになる。こういう状況の時に、トンボが入った印刷用ファイル（PDLファイル）からではフチなし印刷が出来ず、もとのデータ作成段階[B2]に戻って、作業を行う必要があった。
【００２０】
図４は印刷機でポスタなどの印刷物を印刷する場合の印刷データ作成のためのレイアウト図である。
【００２１】
印刷機で印刷する場合は、印刷後、最終印刷物の形態（サイズ）に断裁する必要があるため、実際に印刷物（ポスタ）として出来上がった時に紙の上に記録されるエリア以上の広い範囲の画像データを作成する必要がある。
【００２２】
点線440はポスタとなった場合、用紙の上に記録され、残るエリアを示している。また、トンボ410,411,412,413は印刷後、断裁する位置を示したものである。印刷データとしては仮想用紙エリア430上で実線410のエリアの画像データを作成する必要がある。印刷機用の印刷データには420のように、欄外に色調整のパッチをはじめ各種情報が書き込まれることが常であり、画像データが用紙の中央に来るとは限らないことが多い。
【００２３】
図５はフチなし印刷を行う時に必要な印刷データの作成方法を示した図である。
【００２４】
点線510で囲まれたエリアはフチなし印刷を行った場合、用紙の上に記録するエリアを示している。また実線520で囲まれたエリアは印刷用データとして作成が必要なエリアを示している。インクジェット記録装置で印刷する場合は、実線520と点線510で挟まれたエリアの画像データの殆どは用紙の上には記録されない。これは用紙が斜行した場合、用紙に余白が出てしまうことを防ぐ為の手法である。また、点線510で囲まれたエリアは実際に出力する時のサイズでなくても構わないが、縦横が同じ比率の大きさであることが必要。
【００２５】
従来の技術には、特許文献２にあるように、所望の画像を縦横同じ率で変倍し、変倍した画像の中心記画像出力領域の中心となるように画像出力位置を移動する技術は知られているが、この技術では実際に記録する画像データのみが印刷データとして記述されている場合にのみ有効であり、図4の420のような実際に印刷する必要のない情報が記述されているような画像データの場合には適さない。
【特許文献１】特開2002-346984号公報
【特許文献２】特開2003-274155号公報
【発明の開示】
【発明が解決しようとする課題】
【００２６】
本発明においては、従来の印刷の作業工程で作成された印刷用ポスタ原稿のトンボ付印刷用ファイル（PDLファイル）から印刷する際の前述した問題を解決するものである。
【００２７】
従来は、[B2]の作業に戻って印刷データを作成しなおすことが必要であった。このときにフチなし印刷のための変更には関係ない部分が作業ミスなどにより変更されてしまい、出力物が印刷機で印刷したものと違ってしまう場合があった。
【課題を解決するための手段】
【００２８】
この問題に対処するためには、印刷機で印刷するために作成した印刷データの印刷用ファイルを例えばインクジェット記録装置などの断裁するためのトンボを印刷する必要のない記録装置で出力する際、付属する画像処理装置、例えばPDL等の処理装置において、フチなしの為の適切な処理を施すことで、前述した課題を解決する。
【発明の効果】
【００２９】
以上説明したように、本発明によれば印刷機用の印刷用ファイル（PDLファイル）をインクジェット記録装置の画像処理装置でフチなし印刷を行うための適切な処理を施すことによって、印刷機で印刷した印刷物を出力するだけでなく、作業工程により、ミスや時間のロスを防ぐことが出来る。
【発明を実施するための最良の形態】
【００３０】
（実施例１）
以下、図面を参照して本発明の実施の形態（実施例）について説明する。
【００３１】
本実施例では、印刷用に埋め込まれたトンボ位置情報を元に、画像の切り出しと所定サイズへの拡大を行う事を特徴とした実施例である。
【００３２】
図１は本発明に係る好適な実施の形態における画像処理装置及び記録装置の接続形態を示す配置図である。ホストコンピュータ100と例えばインクジェット印刷機用画像処理装置１１０と印刷機用画像処理装置１2０とはネットワーク131,132で接続され、大判インクジェット記録装置、印刷機とは、ローカルの専用I/F131,132で接続されている。
【００３３】
このような形態において、前述した[A1],[B1]で決まった印刷物のデザインをホストコンピュータ100で印刷用のデータとして作成をする[A2],[B2]。この作成した印刷用ファイル（PDLファイル）を使って確認用に大判インクジェット記録装置用画像処理装置110を使って処理を行って大判インクジェット記録装置131に出力を行う。その結果、問題がなければ印刷機用画像処理装置122へジョブを送信し、印刷機用画像処理装置122で画像処理を施して、印刷機121で印刷を行う。この印刷の後、裁断機（記載していない）でトンボを断裁して、最終成果物として仕上げる。
【００３４】
図２は本実施例で使用するインクジェット記録用画像処理装置のブロック図を示す。
【００３５】
ホストコンピュータ１０は、印刷用ファイル（PDLファイル）を作成し、印刷用ファイル（ここではＰＤＬデータとして説明する）と、記録装置が記録する際の記録方法を設定するのデータの供給源として機能する。画像処理装置110は、ホストコンピュータ１00からケーブル１、外部インターフェース２５を介して供給されたプリントジョブを、ＨＤＤコントローラ２３を介して内蔵ＨＤＤ２４に一旦保持する。内蔵ＨＤＤに保持されたプリントジョブは、ＣＰＵバス４を介してＰＤＬバッファ２６−２に一時的に保持され、そのＰＤＬデータをラインメモリ２６−１に展開して画像データを生成する。
【００３６】
ラインメモリ２６−１に展開された１走査分の画像データはケーブル２を介して記録装置131に転送され、記録媒体に記録される。ここで、ケーブル１，２は、パラレルケーブル、ＳＣＳＩケーブル、シリアルケーブル、ネットワークケーブル等の汎用ケーブルでも、専用のケーブルでも何れでも構わない。記録装置131は、ホストコンピュータ100で生成したプリントデータを出力するプリンタとして機能する。
【００３７】
また、画像処理装置110は、ケーブル２を介して記録装置131のプリンタ情報等を取得し、ホストコンピュータ100に送信することができる他、このステータス情報に基づいて記録装置131を制御することができる。また、前記ホストコンピュータから送られてきたジョブを内蔵ＨＤＤ２４に複数蓄積することが出来、さらに、ＣＰＵ２１の指示により、そのジョブを削除したり、記録する順番を入れ替えたりすることが可能である。
【００３８】
ＣＰＵ２１は、ＲＯＭ２２もしくは内蔵ＨＤＤ２４に格納された制御プログラムに基づいて動作し、画像処理装置２０の機能を制御する。また前記内蔵ハードディスクＨＤＤ２４は、ホストコンピュータ１０より受信したＰＤＬデータおよびプリントジョブ、プリント済みのＰＤＬデータやＰＤＬデータを展開して生成した画像データを一時的に保持する領域やフォントデータを格納する領域等を有し、ＨＤＤコントローラ２３を介してＣＰＵバス４に接続されている。ＲＡＭ２６は、ホストコンピュータ110より受信したＰＤＬデータを一時的に保持するバッファ即ちＰＤＬバッファ２６−２と、ＰＤＬデータを展開し、そしてその画像データを一時的に保持するためのラインメモリ２６−１とを含む。
【００３９】
図３は前述したHDD24に格納された制御プログラム内のフチなし印刷を行うための処理をしめしたブロック図である。
【００４０】
制御プログラムでホストコンピュータ100から送られてきた印刷用ファイルを解析しフチなし印刷ジョブか、通常印刷のジョブかを判別し、通常ジョブであれば通常の処理370を通って印刷される。フチなしのジョブと判断された場合には、まずトンボ位置検出処理320を通り、トンボの位置を算出する。トンボの位置検出はPDLデータにおいて、印刷用にデザインした画像データとは別に、トンボ情報が埋め込まれている場合には、このトンボの情報から位置を算出することが可能である。また、このトンボの位置算出は、印刷時に用紙の上に印刷されるべき画像の位置を割り出しと、次の処理オリジナル画像サイズ算出330で拡大するためのオリジナル画像のサイズを算出するために必要な処理である。
【００４１】
次にあらかじめPDLファイル内に記録されている印刷サイズもしくは、印刷サイズ入力380を通じて得られたサイズより拡大率を拡大率算出処理340で行い、拡大処理350を行う。
【００４２】
このときの拡大率は、図5で示したように、インクジェット記録装置上に記録されるエリアを加味した拡大率を設定する必要がある。
【００４３】
例えば、点線510のホストコンピュータ上ではA4サイズ(210x297mm)の印刷データとしてデータを作成。そのデータをインクジェット記録装置上ではA0サイズ(841x1189mm)として記録する場合、実線520のエリアまでを確保するために、差分530（例えば3mm）を加味する必要あり、この場合の拡大率は以下の式で求められる。
【００４４】
拡大率=(841mm+3mm+3mm)÷210mm=4.03
これにより、403%を拡大率として拡大処理350を行い、最終画像サイズに収まるようセンタリング処理355を行ったのち、フチなし印刷が可能となる。
【図面の簡単な説明】
【００４５】
【図１】本発明実施例１での画像処理装置及び記録装置の接続形態を示す配置図。
【図２】インクジェット記録用画像処理装置のブロック図。
【図３】フチなし印刷を行うための処理をしめしたブロック図。
【図４】印刷データの作成のためのレイアウト図。
【図５】印刷データの作成のためのレイアウト図。
【符号の説明】
【００４６】
１００  ホストコンピュータ
１１０  インクジェット記録用画像処理装置
１１１  大判インクジェット記録装置
１２１  印刷機
４１０  断裁用トンボ
５１０  実際に記録されるエリア
５２０  印刷データとして作成が必要なエリア
【図１】
2009146125.tif 000003
【図２】
2009146125.tif 000004
【図３】
2009146125.tif 000005
【図４】
2009146125.tif 000006
【図５】
2009146125.tif 000007